(57)【特許請求の範囲】
【請求項１】
足を挿通する開口部を有するアッパー部と、該アッパー部の底部に接着され、前足部及び後足部とを有する中底部材と、該中底部材の下面全体に接着される本底部材とを含む靴に使用する可変幅の中底であって、
前足部（１６）の前端位置（１２）で開放する切り抜き部分（２２）を有し、該切り抜き部分の底辺部（２４）の各コーナー位置に切り込み（２６、２８）を設けた中底部材（１０）と、
前記切り抜き部分（２２）に嵌合自在の幅の異なる増幅部材（３４、３６）とを組み合わせてなる可変幅の中底。
【請求項２】
中底部材（１０）が単一サイズの靴中底金型を使用して製造される請求項１の可変幅の中底。
【請求項３】
増幅部材（３４、３６）が抜き型を使用して形成される請求項１及び２の何れかの可変幅の中底。
【請求項４】
増幅部材（３４、３６）が中底部材（１０）とは異なる材質のものである請求項１〜３の何れかの可変幅の中底。
【発明の詳細な説明】
【０００１】
【発明の属する技術分野】
本発明は中底を使用する靴に関し、詳しくは中底の可変幅構造に関する。
【０００２】
【従来の技術】
従来より、運動靴やビジネスシューズなどの一般的な靴に使用する靴底には、図３に示すように、足入れのための開口部１を備え、布或いは皮革などの素材で形成したアッパー部３を貼り付ける中底５と、この中底に貼り付ける本底７とから構成されるものがある。
中底（ミッドソール）５は、これを圧縮ＥＶＡ等の金型を使用して成型する場合、通常、１つの靴底面形状に対して１つの靴中底金型が作製される。しかし、複数のサイズ（足長、足幅）で同じ形状デザインの靴を製造しようとする場合に夫々のサイズに合わせて高価な靴中底金型を作製していたのでは金型コストが嵩み、靴の製造コストそのものも大きくなってしまう。
【０００３】
従来、この問題は、単一サイズの靴中底金型を複数のサイズの靴に対応させるようにして靴中底金型の製造数量をなるべく減らすことで対処されているが、この方法を使用して製造した靴では、靴の底面形状と靴中底との組み合わせがサイズ的に最適となるものを除いてどうしても無理が生じ、靴本来の形状的なバランスが崩れてしまうばかりか、靴幅が狭くなって足入れに不具合が生じてしまうことさえある。
【０００４】
【発明が解決しようとする課題】
単一サイズの靴中底金型を使用して製造され、複数の足幅の靴底面形状に対して最適に組み合わせることのできる靴の可変幅の中底を提供することである。
【０００５】
【課題を解決するための手段】
本発明によれば、
足を挿通する開口部を有するアッパー部と、該アッパー部の底部に接着され、前足部及び後足部とを有する中底部材と、該中底部材の下面全体に接着される本底部材とを含む靴に使用する可変幅の中底であって、
前記前足部の前端位置で開放する切り抜き部分を有し、該切り抜き部分の底辺部の各コーナー位置に切り込みを設けた中底部材と、
前記切り抜き部分に嵌合する、幅の異なる増幅部材とを組み合わせてなる可変幅の中底が提供される。
本発明の１実施例では中底部材が単一サイズの靴中底金型を使用して製造される。
また、本底部材及び増幅部材を抜き型を使用して形成し、増幅部材を中底部材とは異なる材質のものとすることができる。
【０００６】
【発明の実施の形態】
以下に、本発明の実施例を図面を参照して詳しく説明する。
図１には本発明に従う中底部材１０の平面図が示される。中底部材１０は、ある１つのサイズ、即ち、足長Ａ及び足幅Ｂの決まっている中底部材を製造するための靴中底金型（図示せず）を使用して製造されるものであり、従来の相当品と同様に、前端位置１２から略中間位置１４までの範囲を占める前足部１６と、略中間位置１４から後端位置１８までの範囲の後足部２０とを有している。
【０００７】
しかしながら本発明の中底部材の前足部１６は従来の相当品とは大きく異なり、図示されるような、前足部１６の前端位置１２で狭幅で開放する切り抜き部分２２を有している。
切り抜き部分２２は前足部１６の略中央付近までの所定長さＬと、所定の内側幅Ｗとを有しており、切り抜き部分２２の底辺部２４の各コーナー位置には短い切り込み２６、２８が夫々形成される。
【０００８】
これらの切り込み２６、２８は、中底部材１０の切り抜き部分２２の各側に残された部材片３０、３２が中底部材１０との一体性を損なわない範囲で、しかも、以下に説明する幅の異なる増幅部材をこの切り抜き部分２２に嵌合させるに際して、切り込み２６、２８の位置に生じる材料歪みを最小限とするような寸法形状で形成される。
尚、図１では、前足部１６の前端位置１２の開放の幅と、短い切り込み２６、２８とは明瞭化のために誇張して示されている。
【０００９】
切り込み２６、２８を形成したことにより、切り抜き部分２２の各側に残された部材片３０、３２は、この切り込み位置を中心として矢印で示す方向に相対的に揺動し、この揺動の範囲で開閉することができるようになり、結局、切り抜き部分２２の内側幅Ｗをその範囲で変化させることができるようになる。
【００１０】
図２には、本発明に従う、代表的な２つの増幅部材３４、３６が示される。増幅部材は、図１に示す中底部材１０の切り抜き部分２２にぴったりと嵌合して中底部材１０の本来の幅Ｂを所定範囲内で変化させる作用を有している。
図２で上方に示す増幅部材３４は中底部材１０の切り抜き部分２２の内側幅Ｗと一致する幅Ｗを有し、従って、切り抜き部分２２に嵌合しても中底部材１０の本来の幅Ｂを変化させることはないが、図の下方に示す増幅部材３６はそれよりも広い幅Ｗ’を有し、例えば足囲で４Ｅといったサイズの靴で使用するようなのものに相当するものである。
【００１１】
これらの増幅部材３４、３６は、何れも、切り抜き部分２２に嵌合させた場合には部材片３０及び３２の内側側部３８、４０及び底辺部２４に沿って夫々ぴったりと係合する輪郭を有するように作製される。
一方、例えば、中底部材（１０）の切り抜き部分２２の内側幅Ｗよりも幅広に作製した増幅部材３６の場合では、切り抜き部分２２の各側の部材片３０及び３２を切り込み２６及び２８の位置を中心として揺動させて拡開させた状態で、部材片３０及び３２の内側側部３８、４０及び底辺部２４に沿って夫々合致する輪郭となるようにしておく。
【００１２】
切り抜き部分２２の内側幅Ｗと同じ幅の増幅部材３４を切り抜き部分２２に嵌合させた場合、前述の如く、中底部材１０の本来の幅Ｂは変化しないが、それよりも幅広の増幅部材３６を嵌合させると前述の幅Ｂが相対的に拡幅されることから、結局、用意する数の増幅部材に応じて中底部材１０の幅Ｂを自由に変化させることができるようになる。
【００１３】
本発明の中底部材１０は、これを図３に示すような靴のアッパー部に従来と同様にして貼り付け、切り抜き部分２２に種々の増幅部材３４、３６を嵌合させた場合、中底部材１０に更に本底７を貼り付けると、増幅部材３４、３６が露出するのは切り抜き部分２２の前端位置１２の狭幅の開放部分のみとなる。
しかも、この開放部分は、図３に示すような本底部材７あるいはトゥガード等で全体をカバーすることで、靴の外観を損ねるといった問題を生じることも殆ど無くなる。
【００１４】
尚、本発明の中底部材１０に貼り付ける、図３に番号７として示すそれと同じ本底部材や増幅部材３４、３６は、抜き型のような比較的安価に作製することのできる切断型を使用して形成することが可能であり、また、増幅部材３４、３６は中底部材１０とは異なる材質、例えば、運動その他種々の目的に合わせた所定の機能を持たせるように選択した材料で作製することもできる。
【００１５】
以上、本発明を実施例を参照して説明したが、本発明の内で種々の変更をなし得ることを理解されたい。
例えば、増幅部材は代表的な２つのみを示したが、増幅部材を嵌合させることで切り抜き部分２２の切り込み２６、２８位置に生じる材料歪みが許容範囲内となるのであれば、広汎な幅のものを使用することができる。
【００１６】
【発明の効果】
単一サイズの靴中底金型を使用して製造され、複数の足幅の靴底面形状に対応して最適に組み合わせることのできる靴の可変幅の中底が提供される。
【図面の簡単な説明】
【図１】本発明による中底部材の平面図である。
【図２】本発明の中底と組み合わせる増幅部材の平面図である。
【図３】本発明の中底を使用する靴の斜視図である。
【符号の説明】
１０  中底部材
１２  前端位置
１４  中間位置
１６  前足部
１８  後端位置
２０  後足部
２２  切り抜き部分
２４  底辺部
２６、２８  切り込み
３０、３２  部材片
３４、３６  増幅部材
３８、４０  内側側部
【図１】
0003872703.tif 000002
【図２】
0003872703.tif 000003
【図３】
0003872703.tif 000004